(57)【要約】【課題】  読み取り作業時以外にハンディタイプのバーコードリーダを作業台等の上に置くと、作業台上での他の作業の邪魔になるばかりでなく、作業台からの落下によるバーコードリーダの損壊等のおそれがある。【解決手段】  バーコードリーダを吊下げて保持するように保持装置１０が構成されている。すなわち、吊下げ保持装置１０は、引き戻し力を有してなり、その吊下げ端部１４ａが引き戻し力に抗して引き下げ操作可能に垂下された吊下げ部材１４と、市販のハンディタイプバーコードリーダ１２を着脱可能に保持する保持具１６とを備えて構成されている。そして、吊下げ部材の吊下げ端および保持具の一方が他方に設けられたフック３２の係合可能な係合孔３４を有し、フック、係合孔間の係合によって保持具１６を吊下げ部材１４の吊下げ端部１４ａに保持している。【選択図】  図１
2009301454.tif 000002
【特許請求の範囲】
【請求項１】
前面にバーコード読み取り面を有した頭部を縦軸態様の把持部の上部に一体に有したハンディタイプのバーコードリーダをバーコードラベルの読み取り作業を行う作業位置近傍に吊下げて保持するハンディタイプバーコードリーダの吊下げ保持装置であり、
引き戻し力を有してなり、その吊下げ端が引き戻し力に抗して引き下げ操作可能に垂下された吊下げ部材と、バーコードリーダを着脱可能に保持する保持具とを備え、
吊下げ部材の吊下げ端および保持具の一方が、他方に設けられたフックの係合可能な係合孔を有し、フック、係合孔間の係合により保持具を吊下げ部材の吊下げ端に保持するハンディタイプバーコードリーダの吊下げ保持装置。
【請求項２】
保持具が、頭部を上方に位置させた縦姿勢でハンディタイプバーコードリーダを保持可能に形成されるとともに、フック、係合孔のうちの保持具に配されたいずれか一方が保持具を縦姿勢で吊下げ可能に保持具の上端に配置された請求項１記載のハンディタイプバーコードリーダの吊下げ保持装置。
【請求項３】
保持具が、ハンディタイプバーコードリーダの把持部を巻装し包持する把持部包持体と、ハンディタイプバーコードリーダの頭部を巻装し包持する頭部包持体との一体的な組み合わせてなり、
頭部包持体がその上端に連結片を一体に有し、連結片にフックおよび係合孔のいずれか一方が設けられた請求項１または２記載のハンディタイプバーコードリーダの吊下げ保持装置。
【請求項４】
連結片がハトメによりなる係合孔を有して形成され、係合孔に係合可能なフックが吊下げ部材の吊下げ端に設けられた請求項２または３記載のハンディタイプバーコードリーダの吊下げ保持装置。
【請求項５】
保持具の把持部包持体が着脱可能な連結手段により平面状に展開可能に形成された請求項３または４記載のハンディタイプバーコードリーダの吊下げ保持装置。
【請求項６】
保持具の把持部包持体が、ハンディタイプバーコードリーダの把持部下端から延びて上方に向けて折り返されたケーブルを把持部と一体的に包持可能に形成された請求項３ないし５のいずれか記載のハンディタイプバーコードリーダの吊下げ保持装置。
【発明の詳細な説明】
【技術分野】
【０００１】
本発明は、市販のハンディタイプのバーコードリーダを作業位置近傍に保持するに適したハンディタイプバーコードリーダの吊下げ保持装置に関する。
【背景技術】
【０００２】
たとえば、自動車部品の生産ライン等では、特開平４−１９２０８８号公報等に開示のような外形形状を持つハンディタイプのバーコードリーダを用い、部品や製品毎に表示されたバーコードラベルから当該部品の管理番号や仕様情報等を読み取ることにより、当該部品、製品等を管理することが一般的に行われている（特開平５−１０１０７１号公報等参照）。
【特許文献１】特開平４−１９２０８８号公報
【特許文献２】特開平５−１０１０７１号公報
【発明の開示】
【発明が解決しようとする課題】
【０００３】
把持しての作業が主となるハンディタイプのバーコードリーダは、読み取り作業時以外は作業台等の上に無造作に置かれることが多い。しかし、このような作業台上等へのバーコードリーダの放置は、作業台上での他の作業の邪魔になるばかりでなく、作業台からの落下によるバーコードリーダの損壊等のおそれがあるため、その置き場所に注意を払う必要があり、作業性を低下させている。
【０００４】
なお、バーコードリーダの機種によっては、専用の置き台等のオプションも存在するが、読み取り作業の都度、置き台に戻す作業にも手間が掛かり、作業性の低下を十分に防止できない。
【０００５】
本発明は、市販のハンディタイプバーコードリーダを作業位置近傍に保持し、かつ読み取り作業を容易に行なえるハンディタイプバーコードリーダの吊下げ保持装置の提供を目的としている。
【課題を解決するための手段】
【０００６】
上記の目的のために、請求項１に係る本発明のハンディタイプバーコードリーダの吊下げ保持装置は、引き戻し力を有してなり、その吊下げ端が引き戻し力に抗して引き下げ操作可能に垂下された吊下げ部材と、バーコードリーダを着脱可能に保持する保持具とを備え、吊下げ部材の吊下げ端および保持具の一方が、他方に設けられたフックの係合可能な係合孔を有し、フック、係合孔間の係合により保持具を吊下げ部材の吊下げ端に保持している。
【０００７】
また、本発明の請求項２では、保持具が、頭部を上方に位置させた縦姿勢でハンディタイプバーコードリーダを保持可能に形成されるとともに、フック、係合孔のうちの保持具に配されたいずれか一方が保持具を縦姿勢で吊下げ可能に保持具の上端に配置している。
【０００８】
そして、本発明の請求項３では、保持具が、ハンディタイプバーコードリーダの把持部を巻装し包持する把持部包持体と、当該ハンディタイプバーコードリーダの頭部を巻装し包持する頭部包持体との一体的な組み合わせてなり、頭部包持体がその上端に連結片を一体に有し、連結片にフックおよび係合孔のいずれか一方が設けられている。
【０００９】
また、本発明の請求項４では、連結片がハトメによりなる係合孔を有して形成され、係合孔に係合可能なフックが吊下げ部材の吊下げ端に設けられている。
【００１０】
さらに、本発明の請求項５では、保持具の把持部包持体が着脱可能な連結手段により平面状に展開可能に形成されている。
【００１１】
そして、本発明の請求項６では、保持具の把持部包持体が、ハンディタイプバーコードリーダの把持部下端から延びて上方に向けて折り返されたケーブルを把持部と一体的に包持可能に形成されている。
【発明の効果】
【００１２】
請求項１に係る本発明のハンディタイプバーコードリーダの吊り下げ保持装置によれば、バーコードリーダを作業台等の上に放置する必要がないため、他の作業の邪魔になることはなく、また作業台からの落下等の危惧もないことから、作業性ばかりでなくその安全性も十分に確保できる。
【００１３】
そして、把持部包持体、頭部包持体によるバーコードリーダ各部の巻装、包持により、バーコードリーダを保持すれば足りるため、保持具に対するバーコードリーダの着脱が容易に行える。従って、バーコードリーダの交換作業や、保持具の交換作業が容易に行える。
【００１４】
また、本発明の請求項２によれば、縦姿勢でのバーコードリーダの吊下げ保持するため、吊下げ状態からの作業者による把持部の把持が容易となるため、バーコードリーダでの読み取り作業時の作業性が一層向上される。
【００１５】
さらに、本発明の請求項３によれば、ハンディタイプバーコードリーダの保持の容易な保持具が、構成の複雑化等を伴うことなく容易に確保できる。
【００１６】
また、本発明の請求項４によれば、挿通孔の保護がハトメによって確実に可能となるため、耐久性に優れた保持具が容易に提供できる。
【００１７】
そして、本発明の請求項５によれば、保持具に対するバーコードリーダの着脱が容易に可能となるため、バーコードリーダの交換作業や、保持具の交換作業が一層容易に行える。
【００１８】
さらに、本発明の請求項６によれば、構成の複雑化等を伴うことなくケーブルの処理が容易に行える。
【発明を実施するための最良の形態】
【００１９】
ハンディタイプバーコードリーダを保持具により保持し、この保持具を吊下げ部材の吊下げ端に連結、保持することにより、バーコードラベルの読み取り作業を行う作業位置近傍でハンディタイプバーコードリーダを吊下げ保持している。
【実施例】
【００２０】
以下、図面を参照しながら本発明の一実施例について詳細に説明する。
図１はハンディタイプバーコードリーダ（以下、単に「バーコードリーダ」という）を吊下げ保持した状態での本発明の一実施例に係るハンディタイプバーコードリーダの吊下げ保持装置（以下、単に「吊下げ保持装置」という）の概略側面図を示す。
【００２１】
図１に示すように、本発明においては、吊下げ保持装置１０は、吊下げ部材１４と保持具１６とを備えて構成されている。ここでいうバーコードリーダ１２は、縦軸態様の把持部１２ａの上部に、バーコード読み取り面１３を前面に有した頭部１２ｂを一体に有してなる一般的な形態のものを指す。なお、このバーコードリーダ１２は市販のものであり、この発明の趣旨でないため、このバーコードリーダの詳細な説明は省略する。
【００２２】
吊下げ部材１４としては、たとえばワイヤ等が例示でき、この吊下げ部材の吊下げ端部１４ａは、バーコードリーダ１２によるバーコードラベルの読み取り作業を行う作業近傍位置に垂下、保持される。
【００２３】
この吊下げ部材１４には、ばね等の付勢力、あるいは錘等による矢印方向の引き戻し力が付与されており、たとえば係止手段（図示しない）等により作業者の上方で容易に牽引可能な高さに保持されている。
【００２４】
そして、この発明においては、バーコードリーダ１２を着脱可能に保持する保持具１６が、この吊下げ部材の吊下げ端部１４ａに、たとえば、バーコードリーダの縦姿勢で保持するように設けられている。
【００２５】
図２は、把持部包持体を平面展開した状態での保持具の概略平面図を示す。図１に加えて図２を見るとわかるように、保持具１６は、バーコードリーダの把持部１２ａを巻装し包持する把持部包持体１６ａと、バーコードリーダの頭部１２ｂを巻装し包持する頭部包持体１６ｂとを、縫合等により一体的に組み合わせて形成されている。なお、この保持具１６の素材としては、伸縮性を持たない布材等が例示でき、図１、図２中の参照符号１８が、把持部包持体１６ａと頭部包持体１６ｂとの縫合部を示す。
【００２６】
たとえば、頭部包持体１６ｂは、バーコードリーダ頭部１２ｂの読み取り面１３の挿通される挿通孔２２を持ち、バーコードリーダの頭部１２ｂをその読み取り面１３側から挿入可能とする略筒状に予め形成されている。そして、頭部包持体１６ｂは、縦姿勢でのバーコードリーダ１２の保持を可能にその上端に吊下げ部材の吊下げ端部１４ａとの連結に利用される連結片２０を一体に有している。
【００２７】
また、この実施例においては、把持部包持体１６ａは、着脱可能な連結手段２４により平面状に展開可能に形成されている。この連結手段２４として、たとえばオスメス一対のベルクロテープ（商標）が例示でき、図２に示すように、横方向でその一端の表面と、他端の裏面とにベルクロテープのオスメスがそれぞれたとえば縫合で取付けられ、ベルクロテープのオスメスの連結により、バーコードリーダの把持部１２ａを巻装し包持する筒状をなすように構成されている。
【００２８】
なお、図１、図２中の参照符号２６は、バーコードリーダ把持部１２ａの操作スイッチ２８の挿通される挿通孔を示す。図２に示すように、読み取り面１３の挿通孔２２は頭部包持体１６ｂの中央部分に、操作スイッチ２８の挿通孔２６はバーコードリーダ把持部１２ａの中央部分にいずれも形成されている。
【００２９】
ここで、この保持具の把持部包持体１６ａは、図１に示すように、バーコードリーダ把持部１２ａの下端に延出されて上方に折り返されたケーブル３０をバーコードリーダ把持部と一体的に包持できる形状にすることが好ましい。
【００３０】
このような構成の保持具１６は、吊下げ部材の吊下げ端部１４ａに対し、フック３２、係合孔３４間の係合により連結されている。
【００３１】
すなわち、フック３２が吊下げ部材の吊下げ端部１４ａに設けられ、このフックの係合可能な係合孔３４が、保持具の頭部包持体１６ｂの連結片２０に設けられている。連結片の係合孔３４は、たとえば、ハトメ３６により形成される。
【００３２】
なお、図１に示すように、把持部包持体１６ａでの包持により上方に延びたケーブル３０を、吊下げ部材の吊下げ端部１４ａに対し結束バンド３８等により結束することが好ましい。
【００３３】
このような吊下げ保持装置１０によるバーコードリーダ１２の吊下げ保持によれば、バーコードリーダが縦姿勢において吊下げ保持できるため、作業者による把持部１２ａの把持が容易に可能になる。そして、作業者はバーコードリーダの把持部１２ａを把持し、引き戻し力に抗して引き下げれば、作業者に最適な位置で部品、製品等のバーコードラベルを読み取ることができ、読み取り作業が容易に行なえる。
【００３４】
上記のように、この発明のハンディタイプバーコードリーダの吊下げ保持装置１０を用いることにより、バーコードリーダ１２を作業台等の上に放置する必要がないため、他の作業の邪魔になることはなく、また作業台からの落下等の危惧もないことから、作業性ばかりでなく、その安全性も十分に確保できる。
【００３５】
そして、把持部包持体１６ａ、頭部包持体１６ｂによるバーコードリーダ１２各部の巻装、包持により、バーコードリーダを保持すれば足りるため、保持具１６に対するバーコードリーダの着脱が容易に行える。従って、バーコードリーダ１２の交換作業や、保持具１６の交換作業も容易に行える。
【００３６】
ここで、この実施例においては、保持具１６がバーコードリーダ１２を縦姿勢で吊下げ保持可能に具体化されているが、これに限定されず、たとえば、傾斜状態等で吊下げ保持可能とする構成としてもよい。しかしながら、このような縦姿勢でのバーコードリーダ１２の吊下げ保持であれば、吊下げ状態からの作業者による把持部１２ａの把持が容易となるため、バーコードリーダでの読み取り作業時の作業性が一層向上される。
【００３７】
また、吊下げ部材の吊下げ端部１４ａにフック３２を、保持具１６に係止孔３４をそれぞれ設けているが、これとは逆に、吊下げ部材の吊下げ端部に係止孔を、保持具にフックをそれぞれ設ける構成としてもよい。
【００３８】
さらに、ハトメ３６によって連結片の挿通孔３４を形成すれば、挿通孔が確実に保護され、耐久性に優れた保持具１６が得られる。
【００３９】
また、保持具の把持部包持体１６ａを、ベルクロテープ等の着脱可能な連結手段２４により平面状に展開可能に形成すれば、保持具１６に対するバーコードリーダ１２の着脱が容易に可能となる。そのため、バーコードリーダ１２の交換作業や、保持具１６の交換作業が一層容易に行える。
【００４０】
なお、連結手段２４としてベルクロテープを例示しているが、これに限定されず、ボタンとボタン孔との組み合わせやファスナ等を利用してもよい。
【００４１】
そして、保持具の把持部包持体１６ａをバーコードリーダの把持部１２ａ下端から延びて上方に向けて折り返されたケーブル３０を当該把持部と共に一体的に包持可能に形成すれば、構成の複雑化等を伴うことなくケーブルの処理が容易に行える。
【００４２】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００４３】
本発明は、市販のバーコードリーダの外観形状に合わせて保持具を形成することにより広範囲に利用できる。
【図面の簡単な説明】
【００４４】
【図１】ハンディタイプバーコードリーダを保持した状態での本発明の一実施例に係るハンディタイプバーコードリーダの吊下げ保持装置の概略側面図を示す。
【図２】把持部包持体を平面展開した状態での保持具の概略平面図を示す。
【符号の説明】
【００４５】
１０      ハンディタイプバーコードリーダの吊下げ保持装置
１２      ハンディタイプバーコードリーダ
１４      吊下げ部材
１６      保持具
１６ａ    保持具の把持部包持体
１６ｂ    保持具の頭部包持体
２０      連結片
２４      連結手段
３２      フック
３４      係合孔
３６      ハトメ
【図１】
2009301454.tif 000003
【図２】
2009301454.tif 000004